(57)【特許請求の範囲】
【請求項１】
電話機に接続されると共に公衆回線を介して中央監視装置などの外部装置に接続される回線端末装置において、公衆回線網に対して通信条件の整合を取る網制御部と、自己保持型リレーにより電話機を公衆回線に接続し、データ端末装置からの起動により中央監視装置を呼び出す通信中は、前記自己保持型リレーにより電話機を公衆回線から切り離す電話機切替部と、交換局からの極性反転を検出する極性反転検出部と、前記極性反転検出部で極性反転が検出されると電話機を公衆回線に接続させるように電話機切替部の自己保持型リレーにパルス制御信号を出力する接続制御部からなる回線端末装置。
【請求項２】
交換局からの呼出信号を検出する呼出信号検出部と、前記呼出信号検出部で呼出信号を検出すると電話機を公衆回線に接続させるように前記電話機切替部の自己保持型リレーにパルス制御信号を出力する第２接続制御部とを備えた請求項１記載の回線端末装置。
【発明の詳細な説明】
【０００１】
【発明の属する技術分野】
本発明は、ホームセキュリティ盤やガス遮断装置等のデータ端末装置からの情報を公衆回線網を利用した端末発呼通信やノーリンギング通信により中央監視装置へデータ転送を行うための回線端末装置に関するものである。
【０００２】
【従来の技術】
図３に示すように、従来この種の回線端末装置１はデータ端末装置２の情報を公衆回線３と交換局４を介して中央監視装置５に通報する装置である。ここでデータ端末装置２はマイクロコンピュータ内蔵の通信機能付き装置で、ス需要家宅に取り付けられたガスメータに内蔵され、ガスの使用異常を検出すると回線端末装置１を介して中央監視装置５を呼び出しその内容を通報する。
【０００３】
そしてこのデータ端末装置２はガスの使用異常を検出すると最初に発信先電話番号情報を持つ起動電文を回線端末装置１に送信することで通信を開始し中央監視装置５に異常情報を伝えた後、通信終了電文を受信することで通信動作を終了する。
【０００４】
そしてこの回線端末装置１は停電時でも通報可能なように、電源は電池を使用している。また需要家の電話機６はこの回線端末装置１の電話機切替部１０の自己保持型リレー１１を介して公衆回線３に接続されている。２１は外部電話機である。
【０００５】
次に回線端末装置１の構成ついて説明する。７は端末インターフェース部でデータ端末装置２との信号の整合を取る。８はモデム部で公衆回線３用のアナログ信号に対して変復調を行う。モデム部８で変復調された伝送信号は中央制御部９と入出力される。
【０００６】
１４は呼出信号検出部で外部電話機２１による呼出に対して交換局４からの呼出信号に含まれる１６Ｈｚを検出する回路を用いて判定できるようになっている。１６はオフフック検出部で需要家の電話機６のオフフックやオンフックを判定する。
【０００７】
１０は電話機切替部で電話機６を公衆回線３から切り離したり接続したりする。そして電源を電池とする回線端末装置１では電話機切替部１０に対して常時通電を行うと電池の消耗が激しいため、パルス制御信号を１回入力するとリレーが切り替わり、その状態を保持する通称ラッチングリレーと呼ばれる自己保持型リレー１１が主部品として使われている。
【０００８】
この自己保持型リレー１１はパルス制御信号がＡ側に入力されると電話機６を公衆回線３に接続する側に切り替わり、Ｂ側にパルス制御信号が入力されると電話機６を公衆回線３から切り離す回路構成になっている。そしてこの電話機切替部１０の自己保持型リレー１１は通常、電話機６を公衆回線３に接続する側になっている（図とは逆）。
【０００９】
次に端末発呼通信についての動作も図３を用いて説明する。まずデータ端末装置２からの起動がかかると端末発呼を開始する際、中央制御部９は呼出信号検出部１４、オフフック検出部１６で電話がかかってきてないか、電話機６が使用されてないか等をチェックし発呼可能かどうかを確認する。
【００１０】
発呼不可の場合は端末発呼を中断し、発呼可能な場合は端末発呼を継続する。そして発呼を継続する時は電話機６が通信途中で需要家に使用されても、回線端末装置１の通信に影響を及ぼさないように、中央制御部９からパルス制御信号を自己保持型リレー１１のＢ側に送ると、電話機切替部１０の自己保持型リレー１１は電話機６を公衆回線３から切り離す側（図と同じ）に切り替わり、その状態を保持する。
【００１１】
次に網制御部１２で公衆回線３のループを閉結状態にした後、ダイヤリングすることで交換局４との通信条件の整合を取り中央監視装置５を呼び出す。中央監視装置５は交換局４からの呼出信号を受信すると回線を接続して、着信応答信号を回線端末装置１に向けて送信する。その信号は交換局４や公衆回線３を介して回線端末装置１に届き、モデム部８で復調される。
【００１２】
モデム部８で復調された信号を中央制御部９が解析し、中央監視装置５からの着信応答信号と判断すれば、情報要求電文を中央制御部９から端末インターフェース部７を介してデータ端末装置２へ送る。データ端末装置２は情報要求電文を受信すると、起動要因の情報が付加された電文で応答する。データ端末装置２から送られて来た電文は端末インターフェース部７で受信され、中央制御部９を経由しモデム部８でアナログ信号に変調され公衆回線３と交換局４を介して中央監視装置５へ転送される。
【００１３】
その電文が中央監視装置５で受信されると中央監視装置５は通信を終了すべく回線端末装置１へ通信終了電文を送信する。回線端末装置１ではこの通信終了電文をデータ端末装置２へ転送することで中央監視装置９との通信を終了する。
【００１４】
中央制御部９は通信終了時、網制御部１２で公衆回線３のループを開放状態とすることで交換局４に対して終話信号を送出し、公衆回線３との通信経路を切断するとともに、電話機切替部１０の自己保持型リレー１１のＡ側にパルス制御信号を加えて、電話機６をもとどおり公衆回線３へ接続（図と逆）することで端末発呼通信を終了するのである。
【００１５】
またこの種の回線端末装置１は端末発呼通信だけでなく、中央監視装置５から呼び出しによるノーリンギング通信にも対応している。このノーリンギング通信の起動は交換局４により回線端末装置１が接続されている公衆回線３の電圧を極性反転することで始まるため、起動検出用として極性反転検出部２４を備えている。起動検出後は網制御部１２により公衆回線３のループを半閉結にしてモデム部８を介して中央制御部９が端末発呼通信と同様に送受信を行う。
【００１６】
【発明が解決しようとする課題】
しかしながら、上記のような構成では、電話機切替部１０に使用されている自己保持型リレー１１が震動や外部からの衝撃等に弱くすぐにリレーの状態が変わってしまう。
【００１７】
またこの回線端末装置１では電池を電源としているため、リレーの状態が一時的に変わってもすぐにもどるように、自己保持型リレー１１にパルス制御信号を繰り返し出力しておくこともできない。
【００１８】
そのため回線端末装置１を設置後に大きな地震が発生したりや野球のボールが当たる等のアクシデントにより電話機６を公衆回線３から切り離す側に自己保持型リレー１１が変わってしまうと、電話機切替部１０の自己保持型リレー１１のＡ側にパルス制御信号が入力されるまでは、つまり何らかの要因により回線端末装置１が端末発呼通信の動作に入り終了するまでは、電話機６は公衆回線３から切り離されたままであるため、外部電話機２１から電話機６を呼び出した場合、交換局４から電話の呼出信号が送出されても電話機６のベルが鳴らなくなり需要家を呼び出せなくなるという課題を有していた。
【００１９】
【課題を解決するための手段】
本発明は上記課題を解決するために、電話機に接続されると共に公衆回線を介して中央監視装置などの外部装置に接続される回線端末装置において、公衆回線網に対して通信条件の整合を取る網制御部と、自己保持型リレーにより電話機を公衆回線に接続し、データ端末装置からの起動により中央監視装置を呼び出す通信中は、前記自己保持型リレーにより電話機を公衆回線から切り離す電話機切替部と、交換局からの極性反転を検出する極性反転検出部と、極性反転検出部で極性反転が検出されると電話機を公衆回線に接続させるように電話機切替部の自己保持型リレーにパルス制御信号を出力する接続制御部とを有するものである。
【００２０】
上記発明によれば、電話の呼出信号が来る際、交換局からは回線電圧の極性反転を発生させるため、極性反転検出部が極性反転を検出して接続制御部により電話機を公衆回線に接続するように電話機切替部の自己保持型リレーにパルス制御信号を出力するので、震動や衝撃等によりこの回線端末装置の自己保持型リレーが電話機を公衆回線から切り離す側に変わったとしても、電話の呼出信号による極性反転が発生すると、電話機を公衆回線に接続するように電話機切替部の自己保持型リレーを元にもどすため、外部から電話の呼び出しがあったにもかかわらず電話のベルが鳴らないといったことを防止できる。
【００２１】
【発明の実施の形態】
本発明の回線端末装置は、電話機に接続されると共に公衆回線を介して中央監視装置などの外部装置に接続される回線端末装置において、公衆回線網に対して通信条件の整合を取る網制御部と、自己保持型リレーにより電話機を公衆回線に接続し、データ端末装置からの起動により中央監視装置を呼び出す通信中は、自己保持型リレーにより電話機を公衆回線から切り離す電話機切替部と、交換局からの極性反転を検出する極性反転検出部と、極性反転検出部で極性反転が検出されると電話機を公衆回線に接続させるように電話機切替部の自己保持型リレーにパルス制御信号を出力する接続制御部とを有するものである。
【００２２】
そして、この回線端末装置を公衆回線に設置してから震動や衝撃等により自己保持型リレーが電話機を公衆回線から切り離す側に変わったとしても、電話の呼出信号が来る際、交換局からは最初に回線電圧の極性反転を発生させるため、極性反転検出部が極性反転を検出して接続制御部により電話機を公衆回線に接続するように電話機切替部の自己保持型リレーを切り替えるため、外部から電話の呼び出しがあったにもかかわらず電話のベルが鳴らないといったことを防止できる。
【００２３】
また本発明の回線端末装置は、好適には上記構成に加え、交換局からの呼出信号を検出する呼出信号検出部と、前記呼出信号検出部で呼出信号を検出すると電話機を公衆回線に接続させるように前記電話機切替部の自己保持型リレーにパルス制御信号を出力する第２接続制御部とを有するものである。
【００２４】
そしてこの回線端末装置を設置してから震動や衝撃等により自己保持型リレーが電話機を公衆回線から切り離す側に変わったとしても、呼出信号検出部が呼出信号を検出して第２接続制御部により電話機が公衆回線に接続するように電話機切替部の自己保持型リレーを切り替える。従ってフリーダイヤル回線契約している需要家の回線や一部のＩＳＤＮ回線用ターミナルアダプタ等で電話の呼出信号が来る際に極性反転信号が発生しない環境でも、外部から電話の呼び出しがあったにもかかわらず電話のベルが鳴らないといったことを防止できる。
【００２５】
【実施例】
以下、本発明の実施例について図面を用いて説明する。
【００２６】
（実施例１）
図１は、本発明の回線端末装置の実施例１を示すブロック構成図である。なお図３と同一番号のものは同じ名称と同じ機能を有する構成要素であり、その説明を省略する。
【００２７】
１７は接続制御部で、極性反転検出部２４で極性反転を検出すると中央制御部９が一旦ノーリンギング着信の動作に入り動作終了する時、電話機切替部１０の自己保持型リレー１１のＡ側へパルス制御信号を出力して、電話機６を公衆回線３に接続する。そして２２が本発明の回線端末装置である。
【００２８】
この回線端末装置２２は公衆回線３に設置されているが、震動や衝撃等により自己保持型リレー１１が電話機６を公衆回線３から切り離す側に変わったとしても、中央制御部９は特に何も動作を行わない。
【００２９】
この状態で外部電話機２１から需要家の電話機６を呼び出すと、電話の呼出信号が来る際、交換局４は最初に公衆回線３の電圧を極性反転させる。この時、極性反転検出部２４が極性反転を検出すると中央制御部９が網制御部１２を制御してノーリンギング着信動作に入る。
【００３０】
しかしながら交換局４は一般の通話交換を行うため、回線端末装置２２に対してはノーリンギング呼出信号は送出しない。従って中央制御部９はノーリンギングの呼出信号を受信できないため着信動作を終了する。
【００３１】
一方接続制御部１７にも極性反転検出部２４からの極性反転検出信号が入力されるため、電話機６を公衆回線３に接続するように電話機切替部１０の自己保持型リレー１１のＡ側にパルス制御信号を出力する。
【００３２】
すると震動や衝撃等により変わっていた自己保持型リレー１１が元にもどり、電話機６を公衆回線３に接続する。その後交換局４から続けて到来する呼出信号は電話機６へ届き電話機６のベルを鳴らして外部から電話の呼び出しがあったことを需要家に知らせる。
【００３３】
従って震動や衝撃等により自己保持型リレー１１が電話機６を公衆回線３から切り離す側に変わったとしても、外部からの電話呼出に対して交換局４からの極性反転を起動として自己保持型リレー１１を元に戻せるため、電話のベルが鳴らないといったことを防止できる。
【００３４】
（実施例２）
次に本発明の実施例２を図２を用いて説明する。
【００３５】
図２において前記実施例と相違する点は、回線端末装置２３が第２接続制御部２０を備えていることで、この第２接続制御部２０は呼出信号検出部１４で呼出信号を検出すると電話機切替部１０の自己保持型リレー１１のＡ側へパルス制御信号を出力して、電話機６を公衆回線２７側に接続する。
【００３６】
またこの需要家は電話回線をＩＳＤＮ回線で契約している場合で、回線端末装置２３はＤＳＵ２５及びターミナルアダプタ２６を介してＩＳＤＮ回線用の公衆回線２７に接続されている。この場合はターミナルアダプタ２６が回線端末装置２３と直接接続される。そしてこのターミナルアダプタ２６は呼出信号を送出する際に極性反転を行わない機種である。
【００３７】
次に動作について説明する。
この回線端末装置２３はＤＳＵ２５、ターミナルアダプタ２６を介し公衆回線２７に設置されているが、震動や衝撃等により自己保持型リレー１１が電話機６を公衆回線２７側から切り離す側に変わったとしても、中央制御部９は特に何も動作を行わない。
【００３８】
この状態で外部電話機２１から需要家の電話機６を呼び出すと、電話の呼出信号が来る際、ターミナルアダプタ２６からは最初に回線の電圧を極性反転させないで呼出信号が到来する。
【００３９】
この時、極性反転検出部２４は極性反転を検出しないので中央制御部９もノーリンギング着信の動作をしないが、呼出信号検出部１４は呼出信号を検出するので第２接続制御部２０は電話機６を公衆回線２７側に接続するように電話機切替部１０の自己保持型リレー１１のＡ側にパルス制御信号を出力する。
【００４０】
すると震動や衝撃等により変わっていた自己保持型リレー１１が元にもどり、電話機６を公衆回線２７側に接続する。その後ターミナルアダプタ２６から続けて到来する呼出信号は電話機６へ届き電話機６のベルを鳴らして外部から電話の呼び出しがあったことを需要家に知らせる。
【００４１】
従って震動や衝撃等により自己保持型リレー１１が電話機６を公衆回線２７側から切り離す側に変わったとしても、外部からの電話呼出に対してターミナルアダプタ２６からの呼出信号を起動として自己保持型リレー１１を元に戻すため、需要家の電話機６のベルが鳴らないといったことを防止できる。
【００４２】
なおここでは需要家の公衆回線２７がＩＳＤＮ回線の場合で、ターミナルアダプタ２６が呼出信号送出時に極性反転しない機種として回線端末装置２３を接続する例を説明したが、需要家の回線が一般のアナログの公衆回線の場合においてもＰＢＸ等の構内交換機や簡易交換機に接続したりあるいは、フリーダイヤル回線を使用する場合は、極性反転が発生しないで呼出信号が到来することがあるため、この回線端末装置２３を接続すると同様の効果が期待できる。
【００４３】
【発明の効果】
以上のように本発明の回線端末装置によれば、次の効果が得られる。
【００４４】
（１）請求項１記載の発明によると、極性反転検出部が電話の呼出信号が来る際の極性反転を検出して、接続制御部により電話機を公衆回線に接続するように電話機切替部の自己保持型リレーにパルス制御信号を出力するので、震動や衝撃等によりこの回線端末装置の自己保持型リレーが電話機を公衆回線から切り離す側に変わったとしても、外部からの電話の呼び出しがあると、電話機を公衆回線に接続するように電話機切替部の自己保持型リレーを元にもどすため、外部から電話の呼び出しがあったにもかかわらず電話のベルが鳴らないといったことを防止できる。
【００４５】
また自己保持型リレーへ出力するパルス制御信号は極性反転を検出した時だけなので、自己保持型リレーに常時制御信号を出力したりするのでは無く、消費電力の増加もわずかで実現できるため電池を電源とする回線端末装置にあっては電池の容量アップが不要で、コストメリットも大きい。
【００４６】
（２）請求項２記載の発明によると、上記（１）の効果を泰しうる上に、フリーダイヤル回線契約している需要家の回線や一部のＩＳＤＮ回線用ターミナルアダプタ等で電話の呼出信号が来る際に極性反転信号が発生しない環境では、呼出信号検出部が呼出信号を検出して第２接続制御部により自己保持型リレーを元にもどすため、外部から電話の呼び出しがあったにもかかわらず電話のベルが鳴らないといったことを防止できる。
【図面の簡単な説明】
【図１】本発明の実施例１における回線端末装置のブロック構成図
【図２】本発明の実施例２における回線端末装置のブロック構成図
【図３】従来の回線端末装置のブロック構成図
【符号の説明】
２  データ端末装置
３  公衆回線
４  交換局
５  中央監視装置
６  電話機
７  端末インターフェース部
８  モデム部
９  中央制御部
１０  電話機切替部
１１  自己保持型リレー
１４  呼出信号検出部
１６  オフフック検出部
１７  接続制御部
２０  第２接続制御部
２２  回線端末装置
２３  回線端末装置
２４  極性反転検出部
２５  ＤＳＵ
２６  ターミナルアダプタ
【図１】
0004013362.tif 000002
【図２】
0004013362.tif 000003
【図３】
0004013362.tif 000004